(57)【要約】【課題】  ローミング先で、起動時などにおける移動端末装置の使用不可時間を短縮でき、使い勝手のよい移動端末装置を提供する。【解決手段】  ＰＬＭＮ経由でローミング可能な移動端末装置１００であって、複数のローミング先から使用先の選択を受け付ける入力受付部１１０と、受け付けた使用先のローミング情報をローミングサーバ４に問い合わせて受信する無線送受信部１０４と、受信したローミング情報を記憶するローミングＰＬＭＮ情報保持部１１４と、ローミング時に、ローミングＰＬＭＮ情報保持部１１４にアクセスし、ローミングＰＬＭＮ情報保持部１１４に記憶されているローミング情報を用いてローミング先ＰＬＭＮを検出する制御部１０２と、を備える。【選択図】      図１
2007028479.tif 000002
【特許請求の範囲】
【請求項１】
ＰＬＭＮ経由でローミング可能な移動端末装置であって、
複数のローミング先から使用先の選択を受け付ける受付部と、
前記受付部が受け付けた前記使用先のローミング情報をローミング情報提供装置に問い合わせて受信する受信部と、
前記受信部が受信した前記ローミング情報を記憶するローミング情報記憶部と、
ローミング時に、前記ローミング情報記憶部にアクセスし、前記ローミング情報記憶部に記憶されている前記ローミング情報を用いてローミング先ＰＬＭＮを検出する検出部と、
を備えたことを特徴とする移動端末装置。
【請求項２】
請求項１に記載の移動端末装置において、
前記受付部は、複数のローミング先を使用予定先として受け付け、
前記ローミング情報記憶部は、前記複数の使用予定先の前記ローミング情報を記憶し、
ローミング時に、前記複数の使用予定先から使用先の選択を受け付ける使用先受付部と、
前記ローミング情報記憶部にアクセスし、前記使用先受付部が受け付けた前記使用先の前記ローミング情報を読み出す読出部と、
を含み、
前記検出部は、前記読出部が読み出した前記ローミング情報を用いてローミング先ＰＬＭＮを検出することを特徴とする移動端末装置。
【請求項３】
請求項１または２に記載の移動端末装置において、
外部記録媒体にアクセスするアクセス部と、
前記受信部が受信した前記ローミング情報を前記アクセス部を介して前記外部記録媒体に記録する記録部と、
ローミング時、前記アクセス部を介して前記外部記録媒体にアクセスし、前記ローミング情報を取得する取得部と、を含むことを特徴とする移動端末装置。
【請求項４】
請求項１乃至３いずれかに記載の移動端末装置において、
前記検出部は、ＨＰＬＭＮの検出を試した後、前記ＨＰＬＭＮの検出の失敗時に前記ローミング情報記憶部の前記ローミング情報を使用して前記ローミング先ＰＬＭＮを検出することを特徴とする移動端末装置。
【請求項５】
複数のローミング先のローミング情報を記憶する記憶部と、
前記複数のローミング先を移動端末装置に提示する提示部と、
前記複数のローミング先の中から前記移動端末装置が選択したローミング先を受け付ける受付部と、
前記受付部が受け付けた前記ローミング先に対応するローミング情報を前記移動端末装置に送信する送信部と、を備えたことを特徴とするローミング情報提供装置。
【請求項６】
複数のローミング先のローミング情報を記憶する記憶部を備えたローミング情報提供装置が、前記複数のローミング先を移動端末装置に提示するステップと、
前記ローミング情報提供装置が、前記複数のローミング先の中から前記移動端末装置が選択した使用先を受け付けるステップと、
前記ローミング情報提供装置が、前記受け付けるステップで受け付けた前記使用先に対応するローミング情報を前記記憶部から読み出し、前記移動端末装置に送信するステップと、
を含むことを特徴とするローミング情報提供方法。
【発明の詳細な説明】
【技術分野】
【０００１】
本発明は、移動端末装置、ローミング情報提供装置およびローミング情報提供方法に関し、特に、公衆陸上移動網を使用した無線通信を行い、ローミング可能な移動端末装置、ローミング情報提供装置およびローミング情報提供方法に関する。
【背景技術】
【０００２】
携帯電話機やＰＤＡ（Personal Data Assistance、Personal Digital Assistants：個人向け携帯型情報通信機器）などの移動端末は、従来その通信事業者（以後、「ネットワークオペレータ」と呼ぶ）のみで使用可能であったが、近年、ローミングを行うことにより相互に端末利用可能となっている。また、新しい通信方式であるＷ−ＣＤＭＡ（Wideband Code Division Multiple Access）方式も普及してきたが、カバーエリアが小さいため、従来方式でカバーエリアの広いＧＳＭ（Global System for Mobile Communications）方式との２つの方式を併せ持つ端末も登場した。これによりローミングエリアは広がった。
【０００３】
従来のローミング可能な移動端末としては、たとえば、特許文献１に記載されたものがある。同文献に記載された移動通信端末装置は、電子メールなどによって受信したローミングリストの更新データに基づいて、外部記憶媒体に記憶されたローミングリストを更新し、外部記録媒体からから読み出し、制御部内に格納することにより、ローミングリストの更新が直ちに反映されるようになっている。
【０００４】
また、従来の移動端末装置の構成例を図８および図９を用いて説明する。ローミング先で移動端末装置１の電源投入時の動作は、まず、無線送受信部１２により契約ネットワークオペレータのＨＰＬＭＮ（Home Public Land Mobile Network）のサーチを行い（ステップＳ１）、ＨＰＬＭＮがサーチできなければ（ステップＳ３のＮＯ）、無線送受信部１２により、全バンドサーチを行い（ステップＳ５）、ローミング先のＰＬＭＮをサーチした後に待ち受け状態（ステップＳ７）となる。
【特許文献１】特開２００５−３３３７８号公報
【発明の開示】
【発明が解決しようとする課題】
【０００５】
しかしながら、上記文献記載の従来技術は、以下の点で改善の余地を有していた。
【０００６】
第一に、海外ローミング等によりＨＰＬＭＮ以外のネットワークを初めて利用する時には、現地にて移動端末装置の電源を投入しネットワークや周波数の検出を行うため、待ち受け動作に移行し、端末が使用可能となるまで時間を要する。すなわち、まず契約オペレーターのＨＰＬＭＮサーチを行い契約ネットワークオペレータのネットワークをサーチするが、ＨＰＬＭＮが見つからないためその後に、全バンドサーチにてローミング先のＰＬＭＮをサーチ行うので時間がかかる。さらにネットワークの無線通信方式が異なる場合、たとえば、契約ネットワークオペレータがＷ−ＣＤＭＡ、ローミング先がＧＳＭなどの場合、システムを切替て全バンドサーチを行うため、さらに時間がかかる。したがって、その間は移動端末使用不可時間が長くなる。
【０００７】
第二に、全バンドサーチを行う度に移動端末はバッテリーを消費し、サーチ時間が長くなるほど消費電力が大きくなるからである。その結果、バッテリー残量が少なくなるため移動端末使用時間が短くなる。
【０００８】
本発明は上記事情に鑑みてなされたものであり、その目的とするところは、ローミング先での端末使用不可時間を短縮する移動端末装置を提供することにある。
【課題を解決するための手段】
【０００９】
本発明によれば、ＰＬＭＮ経由でローミング可能な移動端末装置であって、
複数のローミング先から使用先の選択を受け付ける受付部と、
前記受付部が受け付けた前記使用先のローミング情報をローミング情報提供装置に問い合わせて受信する受信部と、
前記受信部が受信した前記ローミング情報を記憶するローミング情報記憶部と、
ローミング時に、前記ローミング情報記憶部にアクセスし、前記ローミング情報記憶部に記憶されている前記ローミング情報を用いてローミング先ＰＬＭＮを検出する検出部と、
を備えたことを特徴とする移動端末装置が提供される。
【００１０】
ここで、本発明の移動端末装置は、ＰＬＭＮ（Public Land Mobile Network：公衆陸上移動網）経由でローミング可能な装置である。ローミング先とは、たとえば、国識別情報（モバイルカントリーコード：ＭＣＣ：Mobile Country Code）、通信事業者識別情報（バイルネットワークコード：ＭＮＣ：Mobile Network Code）などで示される。ローミング情報とは、たとえば、ローミング先ＰＬＭＮの使用周波数や無線通信方式（ＲＡＴ：Rat Access Technology）、たとえば、Ｗ−ＣＤＭＡやＧＤＳＭなどである。
【００１１】
この発明によれば、予め渡航先のローミング情報をローミング情報提供装置から取得し、記憶しておき、ローミング時にそのローミング情報を使用するので、渡航先で全バンドサーチなどによるＰＬＭＮ検出などを行う必要がなく、起動時における移動端末装置の使用不可時間を短縮でき、使い勝手が向上する。
【００１２】
上記移動端末装置において、前記受付部は、複数のローミング先を使用予定先として受け付け、前記ローミング情報記憶部は、前記複数の使用予定先の前記ローミング情報を記憶し、ローミング時に、前記複数の使用予定先から使用先の選択を受け付ける使用先受付部と、前記ローミング情報記憶部にアクセスし、前記使用先受付部が受け付けた前記使用先の前記ローミング情報を読み出す読出部と、を含むことができ、前記検出部は、前記読出部が読み出した前記ローミング情報を用いてローミング先ＰＬＭＮを検出することができる。
【００１３】
この構成によれば、予め情報を取得しておいた複数のローミング先の中から、渡航先で適切なローミング先を選択してそのローミング情報を用いることができ、利便性がよい。
【００１４】
上記移動端末装置において、外部記録媒体にアクセスするアクセス部と、前記受信部が受信した前記ローミング情報を前記アクセス部を介して前記外部記録媒体に記録する記録部と、ローミング時、前記アクセス部を介して前記外部記録媒体にアクセスし、前記ローミング情報を取得する取得部と、を含むことができる。
【００１５】
この構成によれば、外部記録媒体にローミング情報を記録することができるので、別の移動端末装置に外部記録媒体を挿入するだけで、外部記録媒体に記録されているローミング情報を使用させることができる。
【００１６】
上記移動端末装置において、前記検出部は、ＨＰＬＭＮの検出を試した後、前記ＨＰＬＭＮの検出の失敗時に前記ローミング情報記憶部の前記ローミング情報を使用して前記ローミング先ＰＬＭＮを検出することができる。
【００１７】
本発明によれば、複数のローミング先のローミング情報を記憶する記憶部と、
前記複数のローミング先を移動端末装置に提示する提示部と、
前記複数のローミング先の中から前記移動端末装置が選択したローミング先を受け付ける受付部と、
前記受付部が受け付けた前記ローミング先に対応するローミング情報を前記移動端末装置に送信する送信部と、を備えたことを特徴とするローミング情報提供装置が提供される。
【００１８】
この発明によれば、移動端末装置に、複数のローミング先の中から任意のローミング先のローミング情報を提供することができる。
【００１９】
本発明によれば、複数のローミング先のローミング情報を記憶する記憶部を備えたローミング情報提供装置が、前記複数のローミング先を移動端末装置に提示するステップと、
前記ローミング情報提供装置が、前記複数のローミング先の中から前記移動端末装置が選択した使用先を受け付けるステップと、
前記ローミング情報提供装置が、前記受け付けるステップで受け付けた前記使用先に対応するローミング情報を前記記憶部から読み出し、前記移動端末装置に送信するステップと、
を含むことを特徴とするローミング情報提供方法が提供される。
【００２０】
この発明によれば、複数のローミング情報の中から任意のローミング先のローミング情報をネットワークを介してウェブ上から簡易に移動端末装置に送信することが可能となる。
【００２１】
なお、以上の構成要素の任意の組合せ、本発明の表現を方法、装置、システム、記録媒体、コンピュータプログラムなどの間で変換したものもまた、本発明の態様として有効である。
【発明の効果】
【００２２】
本発明によれば、ローミング先で、起動時などにおける移動端末装置の使用不可時間を短縮でき、使い勝手のよい移動端末装置が提供される。
【発明を実施するための最良の形態】
【００２３】
以下、本発明の実施の形態について、図面を用いて説明する。尚、すべての図面において、同様な構成要素には同様の符号を付し、適宜説明を省略する。
【００２４】
（第一の実施の形態）
図１は、本実施形態の移動端末装置１００の構成およびネットワーク構成を示すブロック図である。本実施形態の移動端末装置１００は、ＰＬＭＮ経由でローミング可能な移動端末装置１００であって、複数のローミング先から使用先の選択を受け付ける受付部（入力受付部１１０）と、受付部（入力受付部１１０）が受け付けた使用先のローミング情報をローミング情報提供装置（ローミングサーバ４）に問い合わせて受信する受信部（無線送受信部１０４）と、受信部（無線送受信部１０４）が受信したローミング情報を記憶するローミング情報記憶部（ローミングＰＬＭＮ情報保持部１１４）と、ローミング時に、ローミング情報記憶部（ローミングＰＬＭＮ情報保持部１１４）にアクセスし、ローミング情報記憶部（ローミングＰＬＭＮ情報保持部１１４）に記憶されているローミング情報を用いてローミング先ＰＬＭＮを検出する検出部（制御部１０２、無線送受信部１０４）と、を備える。
【００２５】
また、本実施形態のローミング情報提供装置（ローミングサーバ４）は、複数のローミング先のローミング情報を記憶する記憶部（ローミングサーバ４）と、複数のローミング先を移動端末装置１００に提示する提示部（通信事業者提供ウェブページ２）と、複数のローミング先の中から移動端末装置１００が選択したローミング先を受け付ける受付部（通信事業者提供ウェブページ２）と、受付部（通信事業者提供ウェブページ２）が受け付けたローミング先に対応するローミング情報を移動端末装置１００に送信する送信部（不図示）と、を備える。
【００２６】
移動端末装置１００は、たとえば、ＰＬＭＮ経由でローミング可能な携帯電話機、ＰＨＳ（Personal Handyphone System）、ＰＤＡ等の携帯型移動端末装置である。なお、図１において、本発明の本質に関わらない部分の構成については省略してある。
【００２７】
また、移動端末装置１００およびローミングサーバ４の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウェアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２８】
具体的には、移動端末装置１００は、制御部１０２と、無線送受信部１０４と、表示部１０６と、キー入力部１０８と、入力受付部１１０と、ＨＰＬＭＮ情報保持部１１２と、ローミングＰＬＭＮ情報保持部１１４と、を備えている。
【００２９】
制御部１０２は、無線送受信部１０４、表示部１０６、入力受付部１１０、ＨＰＬＭＮ情報保持部１１２、ローミングＰＬＭＮ情報保持部１１４と電気的に接続され、移動端末装置１００の各要素とともに装置全体を制御する。制御部１０２は、移動端末装置１００のネットワークとの通信制御や、移動端末装置１００上のソフトウェア等の実行および制御、画面表示制御、キー入力制御、ＰＬＭＮ情報制御を司るものである。
【００３０】
無線送受信部１０４は、インターネットなどのネットワークに無線通信にて接続し、通信を行うものであり、たとえば、ローミングサーバ４からローミング情報を受信する。具体的には、無線送受信部１０４は、制御部１０２からの信号を変調して無線信号としてネットワークに送出し、ネットワークからの無線信号を復調しディジタル信号として制御部１０２に送出する。また、無線送受信部１０４は、制御部１０２からの指示に従って、ローミング時にＰＬＭＮの検出を行うために、ネットワークに接続し、通信を行う。
【００３１】
表示部１０６は、液晶表示器などの表示器であり、制御部１０２から送出された画面表示制御信号を用いて画面表示を行う。キー入力部１０８は、移動端末装置１００の操作面に設けられた複数の操作キーを含む。入力受付部１１０は、キー入力部１０８が受け付けた操作キーからのキー入力を信号に変換し、制御部１０２に送出する。
【００３２】
ＨＰＬＭＮ情報保持部１１２は、契約ネットワークオペレータのＰＬＭＮ情報（ＨＰＬＭＮ）を記憶する。図２に、ＨＰＬＭＮ情報保持部１１２の構造の一例を示す。図２に示すように、ＨＰＬＭＮ情報保持部１１２には、使用周波数１２２と、ローミングする国を表す国コード（ＭＣＣ）１２４と、ローミング提携した通信事業者であるローミングキャリアを表すモバイルネットワークコード（ＭＮＣ）１２６と、２Ｇ／３Ｇなどの使用無線通信方式（ＲＡＴ）１２８と、が対応付けて記憶される。
【００３３】
図１に戻り、ローミングＰＬＭＮ情報保持部１１４は、ネットワークオペレータの通信事業者提供ウェブページ（図中、「ＮＷＯＰ  Ｗｅｂ  Ｐａｇｅ」と示す）２にあるローミングサーバ４の情報から送出されたローミングＰＬＭＮ情報を記憶する。ローミングＰＫＭＮ情報は、契約したネットワークオペレータ以外のＰＬＭＮ情報を含む。ローミングＰＬＭＮ情報保持部１１４も図２のＨＰＬＭＮ情報保持部１１２と同様の構造を有し、周波数１２２と、国コード１２４と、モバイルネットワークコード１２６と、無線通信方式１２８と、が対応付けて記憶される。
【００３４】
ローミングサーバ４は、複数のローミング先に対するローミング情報を記憶する。ローミング情報には、図２のＨＰＬＭＮ情報保持部１１２と同様に、周波数１２２と、国コード１２４と、モバイルネットワークコード１２６と、無線通信方式１２８と、が対応付けて記憶される。
【００３５】
通信事業者提供ウェブページ２は、ネットワークを介して移動端末装置１００がアクセス可能なウェブページである。移動端末装置１００は、この通信事業者提供ウェブページ２に無線送受信部１０４によりネットワークを介してアクセスし、ローミング情報をダウンロードすることができる。そして、ダウンロードされたローミング情報は、ローミングＰＬＭＮ情報保持部１１４に格納される。
【００３６】
このように構成された移動端末装置１００のローミング情報取得時の動作について、以下に説明する。図３は、本実施形態の移動端末装置１００におけるローミング情報取得時の動作の一例を示すフローチャートである。図４は、移動端末装置１００の表示部１０６に表示される画面の一例を示す図である。以下、図１、図３、図４を用いて説明する。
【００３７】
本実施形態のローミング情報提供方法において、複数のローミング先のローミング情報を記憶する記憶部を備えたローミング情報提供装置（ローミングサーバ４）が、複数のローミング先を移動端末装置（移動端末装置１００）に提示するステップ（ステップＳ１１）と、ローミング情報提供装置が、複数のローミング先の中から移動端末装置が選択した使用先を受け付けるステップ（ステップＳ１３）と、ローミング情報提供装置が、受け付けるステップで受け付けた使用先に対応するローミング情報を記憶部から読み出し、移動端末装置に送信するステップ（ステップＳ１５）と、を含む。
【００３８】
具体的には、ユーザが渡航前に、ローミングサーバ４の通信事業者提供ウェブページ２にアクセスするよう移動端末装置１００を操作する。この操作を受けて、制御部１０２は、ローミングサーバ４の通信事業者提供ウェブページ２に無線送受信部１０４を介してアクセスする（ステップＳ１１）。ここで、通信事業者提供ウェブページ２上では、ローミング先毎にローミング情報が提供される。ローミング先は、たとえば、国名やネットワークオペレータ名などで示され、ユーザはローミング先を選択して、必要なローミング情報をダウンロードする。
【００３９】
たとえば、図４に示されるダウンロード画面２００が移動端末装置１００の表示部１０６上に表示される。ダウンロード画面２００は、複数の国名を含む国選択リスト２０２を含む。ユーザは、移動端末装置１００の操作面に設けられたキー入力部１０８である複数の操作キー２１０を操作して、使用先の国を国選択リスト２０２から選択する。
【００４０】
入力受付部１１０は、ユーザが選択したローミング先をキー入力部１０８を介して受け付け、制御部１０２に通知する（ステップＳ１３）。制御部１０２は、無線送受信部１０４を介してネットワークに接続し、ローミングサーバ４からステップＳ１３で選択されたローミング先のローミング情報をダウンロードする（ステップＳ１５）。そして、制御部１０２は、無線送受信部１０４を介して受信したローミング情報をローミングＰＬＭＮ情報保持部１１４に格納する（ステップＳ１７）。
【００４１】
次に、このようにして、ローミング先のローミング情報を取得した後、ユーザが渡航し、ローミング先で移動端末装置１００を使用する場合の動作について、以下に説明する。
【００４２】
図５は、本実施形態の移動端末装置１００のローミング時の動作の一例を示すフローチャートである。図６は、移動端末装置１００の表示部１０６に表示される画面の一例を示す図である。以下、図１、図５、図６を用いて説明する。
【００４３】
なお、ユーザは、渡航前に移動端末装置１００を操作して、ローミング先ＰＬＭＮの使用をするか否かを設定しておく。ユーザの操作によって、制御部１０２が表示部１０６に図６に示した選択画面３００を表示する。選択画面３００は、ローミング先ＰＬＭＮを使用するか否かの選択をユーザに求める選択リスト３０２を含む。ユーザは、移動端末装置１００の操作面に設けられたキー入力部１０８である複数の操作キー２１０を操作して、ローミング先ＰＬＭＮを使用するか否かを決定する。入力受付部１１０は、ユーザが選択した決定をキー入力部１０８を介して受付、制御部１０２に通知する。このようにして、ローミング先ＰＬＭＮの使用設定が予めなされる。
【００４４】
その後、移動端末装置１００が待ち受け状態から圏外になったときや、移動端末装置１００の電源投入時に、制御部１０２が、ローミング先ＰＬＭＮを使用するか否かを判定する（ステップＳ１０１）。ローミング先ＰＬＭＮを使用しない場合（ステップＳ１０１のＮＯ）、制御部１０２は、ＨＰＬＭＮ情報保持部１１２にアクセスし、ＨＰＬＭＮ情報保持部１１２に格納されているＨＰＬＭＮ情報を使用して、無線送受信部１０４によりバンドサーチを行う（ステップＳ１０３）。
【００４５】
一方、ローミング先ＰＬＭＮを使用する場合（ステップＳ１０１のＹＥＳ）、制御部１０２は、ローミングＰＬＭＮ情報保持部１１４にアクセスし、ローミングＰＬＭＮ情報保持部１１４に格納されているローミング先ＰＬＭＮ情報を使用して、無線送受信部１０４によりバンドサーチを行う（ステップＳ１１１）。制御部１０２は、ローミング先ＰＬＭＮを検出すると（ステップＳ１１３のＹＥＳ）、待ち受け状態に遷移する（ステップＳ１２１）。このように、全バンドサーチを行うことなくローミング先ＰＬＭＮを検出することが可能となる。
【００４６】
また、ローミング先ＰＬＭＮが検出されなかった場合は（ステップＳ１１３のＮＯ）、無線送受信部１０４により全バンドサーチを行い（ステップＳ１１５）、ローミング先ＰＬＭＮが検出された後、待ち受け状態に遷移する（ステップＳ１２１）。
【００４７】
ステップＳ１０３でＨＰＬＭＮを用いたバンドサーチでは、制御部１０２は、ＨＰＬＭＮを検出すると（ステップＳ１０５のＹＥＳ）、待ち受け状態に遷移する（ステップＳ１２１）。一方、制御部１０２は、ＨＰＬＭＮを検出できなかった場合（ステップＳ１０５のＮＯ）、ローミングＰＬＭＮ情報保持部１１４にアクセスし、ローミング先ＰＬＭＮ情報がある場合（ステップＳ１０７のＹＥＳ）、ステップＳ１１１に進み、上述したように、ローミング先ＰＬＭＮの検出を行う。一方、ローミング先ＰＬＭＮ情報がない場合（ステップ１０７のＮＯ）、無線送受信部１０４により全バンドサーチを行い（ステップＳ１０９）、制御部１０２は、ＰＬＭＮを検出し、待ち受け状態に遷移する（ステップＳ１２１）。
【００４８】
以上説明したように、本発明によれば、予めローミング先のローミング情報をネットワークオペレータのウェブページなどから入手しておくことで、ローミング先で全バンドサーチすることなくローミング先のＰＬＭＮを短時間で検出し、待ち受け状態とすることができ、移動端末装置１００が使用できない時間を短縮することができる。さらに、全バンドサーチを行わないため、サーチに使用するバッテリー消費を節約することで、移動端末装置１００の使用可能時間を延長することが可能となる。
【００４９】
また、本発明によれば、複数のローミング情報の中から任意のローミング先のローミング情報をネットワークを介してローミングサーバ４のウェブ上から簡易に移動端末装置１００に送信することが可能となる。
【００５０】
（第二の実施の形態）
図７は、本発明の実施の形態に係る移動端末装置４００の構成およびネットワーク構成を示すブロック図である。本実施形態の移動端末装置４００は、上記実施形態の移動端末装置１００とは、ローミングＰＬＭＮ情報保持部１１４に替えて、ローミングＰＬＭＮ情報４０４を記録媒体４０２に格納する構成とした点で相違する。
【００５１】
記録媒体４０２は、ＳＤ（Secure Digital）メモリカード、メモリスティック（登録商標）、コンパクトフラッシュ（登録商標）などの外部記録媒体であり、ローミングＰＬＭＮ情報４０４を記憶する。また、本実施形態では記録媒体４０２を使用する構成としたが、ＵＳＩＭ（Universal Subscriber Identity Module）カード内のユーザエリアを使用しても良い。あるいは、ＵＳＢメモリなどを装着する構成とすることもできる。
【００５２】
本実施形態では、移動端末装置１００にローミングＰＬＭＮ情報４０４を予め格納した記録媒体４０２を装着することにより、ローミング先ＰＬＭＮの検出を行うことが可能となる。ローミングＰＬＭＮ情報４０４は、上記実施形態の同様に、ネットワークを介してネットワークオペレータのウェブページから取得し、記録媒体４０２に格納することもできる。
【００５３】
この構成によれば、上記実施形態と同様な効果を奏するとともに、別の移動端末装置に記録媒体４０２を挿入するだけで、記録媒体４０２に記録されているローミング情報を使用させることができるので、利便性がよい。
【００５４】
以上、図面を参照して本発明の実施形態について述べたが、これらは本発明の例示であり、上記以外の様々な構成を採用することもできる。
【００５５】
たとえば、上記実施形態ではローミングサーバを契約ネットワークオペレータが提供する構成としたが、本発明の他の実施形態として、ネットワークオペレータ以外でも端末製造業者がローミング情報をサービスとして提供することもでき、移動端末装置の差別化を図ることも可能である。
【００５６】
また、上記実施形態では、ローミング先を１つのみ選択した場合について説明したが、複数のローミング先を予め選択してローミングＰＬＭＮ情報保持部１１４にローミング先ＰＬＭＮ情報を記憶することもできる。
【００５７】
すなわち、入力受付部１１０は、複数のローミング先を使用予定先として受け付け、ローミングＰＬＭＮ情報保持部１１４は、複数の使用予定先のローミング情報を記憶し、ローミング時に、複数の使用予定先から使用先の選択を受け付ける使用先受付部（入力受付部１１０）と、ローミングＰＬＭＮ情報保持部１１４にアクセスし、使用先受付部（入力受付部１１０）が受け付けた使用先のローミング情報を読み出す読出部（制御部１０２）と、を含み、検出部（制御部１０２および無線送受信部１０４）は、読出部（制御部１０２）が読み出したローミング情報を用いてローミング先ＰＬＭＮを検出することができる。
【００５８】
この構成によれば、予め情報を取得しておいた複数のローミング先の中から、渡航先で適切なローミング先を選択してそのローミング情報を用いることができ、利便性がよい。
【００５９】
また、上記実施形態のローミングＰＬＭＮ情報保持部１１４および記録媒体４０２は、併用することもでき、ユーザによって、いずれのローミング先ＰＬＭＮ情報を使用するか選択された情報保持先を受け付ける受付部（入力受付部１１０）と、検出部（制御部１０２および無線送受信部１０４）は、受け付けた情報保持先のローミング先ＰＬＭＮ情報を使用することもできる。
【図面の簡単な説明】
【００６０】
【図１】本実施形態の移動端末装置の構成およびネットワーク構成を示すブロック図である。
【図２】図１のＨＰＬＭＮ情報保持部の構造の一例を示す。
【図３】図１の移動端末装置におけるローミング情報取得時の動作の一例を示すフローチャートである。
【図４】図１の移動端末装置の表示部に表示される画面の一例を示す図である。
【図５】図１の移動端末装置のローミング時の動作の一例を示すフローチャートである。
【図６】図１の移動端末装置の表示部に表示される画面の一例を示す図である。
【図７】本発明の他の実施の形態に係る移動端末装置の構成およびネットワーク構成を示すブロック図である。
【図８】従来の移動端末装置の構成およびネットワーク構成を示すブロック図である。
【図９】図８の従来の移動端末装置のローミング時の動作の一例を示すフローチャートである。
【符号の説明】
【００６１】
２  通信事業者提供ウェブページ
４  ローミングサーバ
１００  移動端末装置
１０２  制御部
１０４  無線送受信部
１０６  表示部
１０８  キー入力部
１１０  入力受付部
１１２  ＨＰＬＭＮ情報保持部
１１４  ローミングＰＬＭＮ情報保持部
１２２  周波数
１２４  国コード
１２６  モバイルネットワークコード
１２８  無線通信方式
２００  ダウンロード画面
２０２  国選択リスト
２１０  操作キー
３００  選択画面
３０２  選択リスト
４００  移動端末装置
４０２  記録媒体
４０４  ローミングＰＬＭＮ情報
【図１】
2007028479.tif 000003
【図２】
2007028479.tif 000004
【図３】
2007028479.tif 000005
【図４】
2007028479.tif 000006
【図５】
2007028479.tif 000007
【図６】
2007028479.tif 000008
【図７】
2007028479.tif 000009
【図８】
2007028479.tif 000010
【図９】
2007028479.tif 000011